(57)【要約】  実装機において、回路基板に印されている複数の基準マークの読み取りを行う基準マークの読取方法は、部品を装着する順序を定めたシーケンスデータ、その部品を装着する際に参照する前記基準マークを定めた参照マークデータ、及び前記基準マークの有効期間を定めた有効期間データを用いて、前記基準マークを読み取るタイミングを前記基準マーク毎に決定するステップと、前記決定するステップで決定された前記タイミングにおいて、読み取りが必要とされた前記基準マークを選択的に読み取るステップと、を備える。
2014076804.tif 000002
【特許請求の範囲】
【請求項１】
実装機において、回路基板に印されている複数の基準マークの読み取りを行う基準マークの読取方法であって、
部品を装着する順序を定めたシーケンスデータ、その部品を装着する際に参照する前記基準マークを定めた参照マークデータ、及び前記基準マークの有効期間を定めた有効期間データを用いて、前記基準マークを読み取るタイミングを前記基準マーク毎に決定するステップと、
前記決定するステップで決定された前記タイミングにおいて、読み取りが必要とされた前記基準マークを選択的に読み取るステップと、を備える読取方法。
【請求項２】
前記決定するステップは、
前記有効期間データを用いて、第１読取りタイミングと第２読取りタイミングを含む複数の読取りタイミングを決定するステップと、
前記シーケンスデータを用いて、前記第１読取りタイミングと前記第２読取りタイミングの間に装着予定の前記部品を抽出するステップと、
前記参照マークデータを用いて、抽出された前記部品に対応した前記基準マークを特定するステップと、を有する請求項１に記載の読取方法。
【請求項３】
前記読み取るステップで前記基準マークを読み取ったタイミングを前記基準マーク毎に記憶するステップをさらに備えており、
前記決定するステップは、
前記シーケンスデータを用いて、装着予定の前記部品を抽出するステップと、
前記参照マークデータを用いて、前記装着予定の前記部品に対応した前記基準マークを特定するステップと、
特定された前記基準マーク毎に、前回読み取ったタイミングと前記有効期間データを用いて、当該基準マークを読み取るか否かを決定するステップと、を有する請求項１に記載の読取方法。
【請求項４】
前記回路基板は、複数の回路パターンを含む多面取り基板であり、
前記複数の基準マークは、前記複数の回路パターンの各々に対応して印されているローカル基準マークを含んでいる請求項１〜３のいずれか一項に記載の読取方法。
【請求項５】
回路基板に印されている複数の基準マークの読み取りを行う読取装置を備えている実装機であって、
前記読取装置は、
部品を装着する順序を定めたシーケンスデータ、その部品を装着する際に参照する前記基準マークを定めた参照マークデータ、及び前記基準マークの有効期間を定めた有効期間データを用いて、前記基準マークを読み取るタイミングを前記基準マーク毎に決定するステップと、
前記決定するステップで決定された前記タイミングにおいて、読み取りが必要とされた前記基準マークを選択的に読み取るステップと、を実行可能に構成されている実装機。
【発明の詳細な説明】
【技術分野】
【０００１】
本明細書で開示される技術は、回路基板に電子部品を実装する実装機（表面実装機又はチップマウンタともいう）に関する。本発明は特に、実装機において、回路基板に印されている複数の基準マークの読み取りを行う基準マークの読取方法に関する。
【背景技術】
【０００２】
実装機は、電子部品を吸着した吸着ノズルを回路基板の装着位置に移動させ、回路基板に電子部品を装着する装置である。吸着ノズルは、回路基板の上方をＸＹ平面内で移動可能な搭載ヘッドに取り付けられている。搭載ヘッドは、リニアモータ、ボールねじ等を利用した駆動機構を有する移載装置によって移動される。【０００３】
特開平８−１８２８９号公報で指摘されているように、このような移載装置の駆動機構では、搭載ヘッドを移動させるときに、ガイド機構等の摺動摩擦によって発熱する。このため、駆動機構の構成部品が熱膨張し、電子部品の装着精度が低下する。近年、電子部品の小型化により、１枚の回路基板に装着される電子部品の点数が増加し、１枚の回路基板の生産に要する時間が長くなっている。このため、一枚の回路基板の生産中における駆動機構の経時的な熱変位の影響により、装着精度の低下が問題となっている。
【発明の概要】
【発明が解決しようとする課題】
【０００４】
従来の実装機では、装着精度の低下を抑えるために、回路基板に印されている複数の基準マークを定期的に読み取り、電子部品の装着位置の補正を行なっている。しかしながら、従来の実装機では、全て基準マークを定期的に一括して読み取るように制御されていることから、作業効率の低下を招いている。本明細書では、複数の基準マークを効率的に読み取ることにより、作業効率の低下を抑えることが可能な基準マークの読取方法、及びそのような読取方法を実行する実装機を提供することを目的としている。
【課題を解決するための手段】
【０００５】
本明細書で開示される基準マークの読取方法は、実装機において実行される読取方法であり、回路基板に印されている複数の基準マークの読み取りを行う。基準マークの読取方法は、部品を搭載する順序を定めたシーケンスデータ、その部品を装着する際に参照する前記基準マークを定めた参照マークデータ、及び前記基準マークの有効期間を定めた有効期間データを用いて、前記基準マークを読み取るタイミングを前記基準マーク毎に決定するステップを備える。基準マークの読取方法はさらに、前記決定するステップで決定された前記タイミングにおいて、読み取りが必要とされた前記基準マークを選択的に読み取るステップを備える。【０００６】
上記読取方法によれば、必要な基準マークを必要なタイミングで読み取ることができるので、作業効率の低下を抑えることができる。【０００７】
本明細書で開示される実装機は、回路基板に印されている複数の基準マークの読み取りを行う読取装置を備えている。読取装置は、部品を装着する順序を定めたシーケンスデータ、その部品を装着する際に参照する前記基準マークを定めた参照マークデータ、及び前記基準マークの有効期間を定めた有効期間データを用いて、前記基準マークを読み取るタイミングを前記基準マーク毎に決定するステップを実行可能に構成されている。読取装置はさらに、前記決定するステップで決定された前記タイミングにおいて、読み取りが必要とされた前記基準マークを選択的に読み取るステップを実行可能に構成されている。【０００８】
上記実装機によれば、必要な基準マークを必要なタイミングで読み取ることができるので、作業効率の低下を抑えることができる。
【図面の簡単な説明】
【０００９】
【図１】実装機の概略斜視図を示す。
【図２】回路基板の概略平面図を示す。
【図３】実施例１の読取装置の概略構成を示す。
【図４】シーケンスデータと参照マークデータの概略構成の一例を示す。
【図５】読取りタイミングデータの概略構成を示す。
【図６】実施例１の実装機による電子部品の装着フローを示す（最初の電子部品の装着までの装着フロー）。
【図７】実施例１の実装機による電子部品の装着フローを示す（最初の電子部品を装着した後の装着フロー）。
【図８】シーケンスデータと参照マークデータの概略構成の他の一例を示す。
【図９】実施例２の読取装置の概略構成を示す。
【図１０】実施例２の実装機による電子部品の装着フローを示す（最初の電子部品の装着までの装着フロー）。
【図１１】実施例２の実装機による電子部品の装着フローを示す（最初の電子部品を装着した後の装着フロー）。
【発明を実施するための形態】
【００１０】
以下、本明細書で開示される技術の特徴を整理する。なお、以下に記す事項は、各々単独で技術的な有用性を有している。
【００１１】
本明細書で開示される基準マークの読取方法は、実装機において実行される読取方法であり、回路基板に印されている複数の基準マークの読み取りを行う。本明細書で開示される基準マークの読取方法は、基準マークを読み取るタイミングを基準マーク毎に決定するステップを備える。この決定するステップは、部品を装着する順序を定めたシーケンスデータ、その部品を装着する際に参照する基準マークを定めた参照マークデータ、及び基準マークの有効期間を定めた有効期間データを用いて決定される。ここで、タイミングとは、時間に基づいて定められる機会、シーケンス数に基づいて定められる機会、及び／又はその他の指標に基づいて定められる機会を意味してもよい。例えば、タイミングは、実装機が作業を開始してからの時間に基づいて定められた機会であってもよい。あるいは、タイミングは、回路基板に部品を装着した回数に基づいて定められた機会であってもよい。また、有効期間データは、基準マークの位置情報の使用が許容される有効期間を記述したデータであり、時間に基づいて定められる有効期間、シーケンス数に基づいて定められる有効期間、及び／又はその他の基準に基づいて定められる有効期間を記述したデータであってもよい。例えば、有効期間データの有効期間は、基準マークを読み取ってからの経過時間に基づいて設定されていてもよい。あるいは、有効期間データの有効期間は、基準マークを読み取ってから回路基板に部品を装着した回数に基づいて設定されていてもよい。また、この有効期間データの有効期間は、固定値であってもよく、特定の要件に依存する変数値であってもよい。例えば、有効期間データの有効期間は、実装機が作業を開始してからの時間に依存して増加する関数値であってもよい。本明細書で開示される基準マークの読取方法はさらに、決定するステップで決定されたタイミングにおいて、読み取りが必要とされた基準マークを選択的に読み取るステップを備える。このように、本明細書で開示される読取方法は、全ての基準マークを一括して読み取るのではなく、必要なタイミングで必要な基準マークを読み取ることができる。
【００１２】
決定するステップは、有効期間データを用いて、第１読取りタイミングと第２読取りタイミングを含む複数の読取りタイミングを決定するステップを有していてもよい。決定ステップはさらに、シーケンスデータを用いて、第１読取りタイミングと第２読取りタイミングの間に装着予定の部品を抽出するステップを有していてもよい。決定するステップはさらに、参照マークデータを用いて、抽出された部品に対応した基準マークを特定するステップを有していてもよい。この読取方法では、読取りタイミング毎に、次の読み取りタイミングまでに必要な基準マークのみを読み取ることにより、無駄な基準マークの読み取りを回避することができる。
【００１３】
本明細書で開示される基準マークの読取方法はさらに、読み取るステップで基準マークを読み取ったタイミングを基準マーク毎に記憶するステップをさらに備えていてもよい。この場合、決定するステップは、シーケンスデータを用いて、装着予定の部品を抽出するステップを有していてもよい。決定するステップはさらに、参照マークデータを用いて、装着予定の部品に対応した基準マークを特定するステップを有していてもよい。決定するステップはさらに、特定された基準マーク毎に、前回読み取ったタイミングと有効期間データを用いて、当該基準マークを読み取るか否かを決定するステップを有していてもよい。この読取方法では、部品を装着する毎に、その部品を装着する際に参照する基準マークが有効か無効かを判定し、無効な場合のみ基準マークを読取ることにより、無駄な基準マークの読み取りを回避することができる。
【００１４】
回路基板は、複数の回路パターンを含む多面取り基板であってもよい。この場合、複数の基準マークは、複数の回路パターンの各々に対応して印されているローカル基準マークを含んでいてもよい。多面取り基板には複数のローカル基準マークが印されているので、それらのローカル基準マークを読取る作業時間が長くなる傾向にある。このため、本明細書で開示される基準マークの読取り方法をこのような多面取り基板の読取り作業に適用することにより、作業効率を大幅に向上させることができる。
【実施例１】
【００１５】
以下、図面を参照して、回路基板上に集積回路を形成する際に用いられる実装機を説明する。回路基板上の集積回路は、はんだ印刷機、実装機、及びリフロー炉を順に搬送されて形成される。はんだ印刷機は、回路基板上の電子部品の搭載位置にクリームはんだを印刷する。実装機は、クリームはんだが印刷された回路基板上の装着位置に電子部品を装着する。リフロー炉は、回路基板に熱処理を施すことで電子部品を回路基板上にハンダ付けする。【００１６】
図１に示されるように、実装機１は、テーブル３上に隣接して配置されている複数のモジュール２を備えている。モジュール２の各々は、共通した構成となっており、筐体として機能するフレーム４内に複数の装置を備えている。図１は、２つのモジュール２が隣接した例を示しており、２つのモジュール２のうちの１つのモジュール２の外装板を透かした状態で示している。モジュール２は、部品供給装置１０、パーツカメラを有するパーツ撮像装置２０、ノズルストッカ３０、基板搬送装置４０、移載装置５０、及び搭載ヘッド６０を備える。また、モジュール２の各々は、外装板の表面に入出力装置６を備えている。この入出力装置６は、オペレータ入力を受け付け可能であるとともに、モジュール２のステータス情報及びオペレータへの各種指示信号を表示可能に構成されている。【００１７】
部品供給装置１０は、回路基板５に装着する複数種類の電子部品を部品吸着位置に供給する装置であり、複数のカセット式のフィーダ１１が並設して構成されている。フィーダ１１のフィーダ本体１２は、フレーム４に着脱可能に構成されている。フィーダ１１は、電子部品がテーピングされているキャリアテープが巻回されたテープリール１３を有している。テープリール１３からキャリアテープが所定ピッチずつ送り出され、電子部品が部品吸着位置に順次供給される。【００１８】
パーツ撮像装置２０は、フレーム４に固定されており、部品供給装置１０と基板搬送装置４０の間に配置されている。パーツ撮像装置２０は、ＣＣＤカメラで構成されるパーツカメラを有する。電子部品は、フィーダ１１の部品吸着位置で吸着された後、基板搬送装置４０に位置決めされている回路基板５に装着される前に、パーツ撮像装置２０の上方で停止され、パーツカメラで撮像される。実装機１は、パーツ撮像装置２０で撮像した電子部品の画像データを利用して、電子部品の識別及び電子部品の吸着姿勢を認識する。電子部品の吸着姿勢は、電子部品が回路基板５に装着される前に吸着ノズルが自転することによって補正される。【００１９】
基板搬送装置４０は、フレーム４に固定されており、回路基板５を搬送方向（Ｘ軸方向）に沿って搬送するとともに、所定の作業位置で回路基板５を位置決めする。基板搬送装置４０は、第１搬送装置４１と第２搬送装置４２を２列並設したダブルコンベアタイプである。【００２０】
図２に示されるように、基板搬送装置４０を搬送される回路基板５は、複数の回路ブロック５ａに区画されており、各回路ブロック５ａに回路パターンが形成されている。回路基板５は、全ての電子部品が装着された後に、回路ブロック５ａごとに分割される多面取り基板である。回路基板５には、４つの角部にグローバル基準マークＭ１が印されている。回路ブロック５ａの各々には、ローカル基準マークＭ２が印されている。これらグローバル基準マークＭ１及びローカル基準マークＭ２は、回路基板５の作業位置の位置合わせ及び電子部品の装着位置の位置合わせを行うために用いられる。【００２１】
図１に戻る。移載装置５０は、フレーム４に固定されており、ＸＹロボットタイプである。移載装置５０は、Ｙ軸駆動装置５０Ｙ及びＸ軸駆動装置５０Ｘを備えている。Ｙ軸駆動装置５０Ｙは、リニアモータを利用した駆動機構を有しており、Ｙ軸スライド部材５３をＹ軸方向に移動可能に構成されている。Ｘ軸駆動装置５０Ｘは、ボールねじを利用した駆動機構を有しており、Ｙ軸スライド部材５３に設けられたＸ軸スライド部材をＸ軸方向に移動可能に構成されている。Ｘ軸スライド部材には、搭載ヘッド６０が固定されている。搭載ヘッド６０には、電子部品を吸着するための吸着ノズル及びＣＣＤカメラで構成されるマークカメラが取り付けられている。マークカメラは、回路基板５に印されている基準マークＭ１，Ｍ２を撮像するために用いられる。【００２２】
実装機１では、搭載ヘッド６０がＹ軸駆動装置５０Ｙ及びＸ軸駆動装置５０Ｘを用いてＸ−Ｙ平面内で移動され、部品供給装置１０、パーツ撮像装置２０、ノズルストッカ３０、及び基板搬送装置４０の上方を移動可能に構成されている。搭載ヘッド６０を移動させるときに、Ｙ軸駆動装置５０Ｙ及びＸ軸駆動装置５０Ｘのガイド機構等の摺動摩擦によってＹ軸駆動装置５０Ｙ及びＸ軸駆動装置５０Ｘの構成部品が発熱する。このため、Ｙ軸駆動装置５０Ｙ及びＸ軸駆動装置５０Ｘの構成部品が熱膨張し、電子部品の装着精度が低下する。実装機１では、回路基板５に印されている基準マークＭ１，Ｍ２の位置情報を利用して、回路基板５の作業位置の位置合わせ及び電子部品の装着位置の位置合わせを定期的に行い、このような熱膨張の影響を補償する。【００２３】
図３に示されるように、実装機１に設けられている読取装置１００は、回路基板５に印されている基準マークＭ１，Ｍ２を読み取るタイミングを制御する制御装置７０を備えている。制御装置７０は、記憶装置８０、移載装置５０、搭載ヘッド６０のマークカメラ、及び入出力装置６に接続されている。記憶装置８０は、シーケンスデータ８２、参照マークデータ８４、有効期間データ８６、及び読取りタイミングデータ８８を記憶可能に構成されている。【００２４】
図４に、シーケンスデータ８２と参照マークデータ８４の一例を示す。ここで、装着順序は、１０進数で表された数字列を示している。装着時間は、実装機１による生産を開始してからの経過時間を示す。電子部品は、回路基板５に装着される電子部品の種類を示す。基準マークは、回路基板５に印されている基準マークの種類を示す。例えば、基準マークＭａは、回路基板５に印されているローカル基準マークＭ２のうちの特定の回路ブロック５ａに印されているローカル基準マークＭ２である。【００２５】
シーケンスデータ８２は、電子部品を搭載する順序を定めており、この例では、装着時間と電子部品を対応付けたデータに相当する。例えば、シーケンスデータ８２は、装着時間Ｔ０で電子部品Ｐ１を装着し、装着時間Ｔ０+１で電子部品Ｐ２を装着し、装着時間Ｔ０+２で電子部品Ｐ３を装着することを定めている。なお、この例に代えて、シーケンスデータ８２は、装着順序と電子部品を対応付けたデータであってもよい。この場合、例えば、シーケンスデータ８２は、１番目に電子部品Ｐ１を装着し、２番目に電子部品Ｐ２を装着し、３番目に電子部品Ｐ３を装着することを定めている。参照マークデータ８４は、電子部品を装着する際に参照する基準マークを定めており、この例では、電子部品と基準マークを対応付けたデータに相当する。例えば、参照マークデータ８４は、電子部品Ｐ１〜Ｐｎ１を装着するときは基準マークＭａ，Ｍｂを参照し、電子部品Ｐｎ２〜Ｐｍ１を装着するときは基準マークＭｃ，Ｍｄを参照することを定めている。有効期間データ８６は、基準マークの位置情報を使用することが許容される有効期間を定めており、この例では、「５分」といった時間データである。基準マークの有効期間は、実装機１による生産時の温度上昇カーブから経験的に決定されてもよい。シーケンスデータ８２、参照マークデータ８４、及び有効期間データ８６は、入出力装置６を介して入力することができる。【００２６】
読取りタイミングデータ８８は、複数の読取りタイミングを定めたデータであり、シーケンスデータ８２と有効期間データ８６を用いて作成される。例えば、有効期間データ８６が「５分」である場合、連続する読取りタイミングの間隔が「５分」を越えない範囲内で、シーケンスデータ８２の装着時間に対応した複数の読取りタイミングが決定される。これにより、図５に示されるような読取りタイミングデータ８８が作成される。この例では、読取りタイミングデータ８８は、装着時間Ｔ０，Ｔ１，Ｔ２において、基準マークの読み取りを行うことを定めている。【００２７】
次に、図６及び図７を参照し、読取装置１００を有する実装機１が電子部品を回路基板５に装着するフローを説明する。図６は、最初に装着予定の電子部品を装着するまでのフローを示す。この例では、電子部品Ｐ１（図４参照）を装着するまでのフローである。図７は、最初の電子部品を装着した以降の電子部品を装着するフローを示す。【００２８】
図６に示されるように、まず、ステップＳ１１において、制御装置７０は、シーケンスデータ８２と有効期間データ８６を取得する。次に、ステップＳ１２において、制御装置７０は、複数の読取りタイミングを決定し、読取りタイミングデータ８８を作成する（図５参照）。次に、ステップＳ１３において、制御装置７０は、シーケンスデータ８２を用いて、最初の読取りタイミングＴ０と次の読取りタイミングＴ１の間に装着予定の電子部品を抽出する。次に、ステップＳ１４において、制御装置７０は、参照マークデータ８４を用いて、抽出された電子部品に対応した基準マークを特定する。この例では、基準マークＭａ，Ｍｂが特定される。次に、ステップＳ１５において、制御装置７０は、特定された基準マークＭａ，Ｍｂを読み取る。具体的には、制御装置７０は、搭載ヘッド６０に取り付けられているマークカメラの撮像視野内に基準マークＭａ，Ｍｂが位置するように、Ｙ軸駆動回路及びＸ軸駆動回路を用いて移載装置５０を駆動し、基準マークＭａ，Ｍｂを撮像する。撮像された基準マークＭａ，Ｍｂは、画像処理部で処理され、画像認識される。このように、実装機１では、回路基板５に印されている複数の基準マークのうち、次の読取りタイミングＴ１までに必要とされる基準マークＭａ，Ｍｂのみを読み取るように制御される。次に、ステップＳ１６において、基準マークＭａ，Ｍｂの位置情報を利用して、最初に装着予定の電子部品Ｐ１を回路基板５の装着位置に装着する。これ以降は、図７のフローに基づいて電子部品の装着が実行される。【００２９】
図７に示されるように、ステップＳ２１において、制御装置７０は、読取りタイミングデータ８８を用いて、読取りタイミングか否かを判定する。最初の読取りタイミングＴ０と次の読取りタイミングＴ１の間の作業期間内であれば、制御装置７０は、読取りタイミングでないと判定する。これにより、装着作業は、ステップＳ２３に進む。ステップＳ２３において、制御装置７０は、シーケンスデータ８２を用いて、次に装着予定の電子部品を抽出する。次に、ステップＳ２５において、既に読み取られている基準マークＭａ，Ｍｂの位置情報を利用して、抽出された電子部品が回路基板５の装着位置に装着される。次に、ステップＳ２７において、制御装置７０は、全ての電子部品の装着が終了したか否かを判定する。全ての電子部品の装着が終了していると判定されれば、装着作業が終了する。全ての電子部品の装着が終了していないと判定されれば、装着作業はステップＳ２１に戻る。【００３０】
電子部品の装着が進み、装着時間がＴ１に達すると、ステップＳ２１において、制御装置７０は、読取りタイミングであると判定する。これにより、装着作業は、ステップＳ３１に進む。ステップＳ３１において、制御装置７０は、シーケンスデータ８２を用いて、次の読取りタイミングＴ２までに装着予定の電子部品を抽出する。次に、ステップＳ３３において、制御装置７０は、参照マークデータ８４を用いて、抽出された電子部品に対応した基準マークを特定する。この例では、基準マークＭｃ，Ｍｄが特定される。次に、ステップＳ３５において、制御装置７０は、特定された基準マークＭｃ，Ｍｄを読み取る。このように、実装機１では、回路基板５に印されている複数の基準マークのうち、次の読取りタイミングＴ２までに必要とされる基準マークＭｃ，Ｍｄのみを読み取るように制御される。次に、ステップＳ３６において、制御装置７０は、シーケンスデータ８２を用いて、次に装着予定の電子部品を抽出する。次に、ステップＳ３７において、読み取られた基準マークＭｃ，Ｍｄの位置情報を利用して、抽出された電子部品が回路基板５の装着位置に装着される。次に、ステップＳ３９において、制御装置７０は、全ての電子部品の装着が終了したか否かを判定する。全ての電子部品の装着が終了していると判定されれば、装着作業が終了する。全ての電子部品の装着が終了していないと判定されれば、装着作業はステップＳ２１に戻る。【００３１】
このように、実装機１は、複数の読取りタイミングにおいて全ての基準マークを一括して読み取るのではなく、次の読取りタイミングまでに必要な基準マークのみを読取るように構成されている。これにより、無駄な基準マークの読み取りを回避することができるので、効率的な読取り作業を実行することができる。【００３２】
なお、上記例では、複数の読み取りタイミング毎に、読み取る基準マークの種類が変更される態様を例示したが、これは便宜の上で例示したものであり、本明細書で開示される技術はこのような態様に限定されるものではない。例えば、図８に示されるように、シーケンスデータ８２と有効期間データ８６を用いて決定される複数の読み取りタイミングが装着時間Ｔ０，Ｔ０+Ａ，Ｔ１+Ｂ，Ｔ２+Ｃの場合、図６及び図７の装着フローに基づくと、装着時間Ｔ０において次の装着時間Ｔ０+Ａまでに必要な基準マークＭａ，Ｍｂが読み取られ、装着時間Ｔ０+Ａにおいて次の装着時間Ｔ１+Ｂまでに必要な基準マークＭａ，Ｍｂ，Ｍｃ，Ｍｄが読み取られ、装着時間Ｔ１+Ｂにおいて次の装着時間Ｔ２+Ｃまでに必要な準マークＭｃ，Ｍｄ，Ｍｅ，Ｍｆが読み取られる。【００３３】
なお、実施例１の実装機１では、有効期間データ８６に記述されている有効期間が「５分」という固定された時間データの態様を例示した。この例に代えて、有効期間データ８６に記述されている有効期間は、実装機１が作業を開始してからの時間に依存して増加する関数で表される時間データであってもよい。また、有効期間データ８６に記述されている有効期間が、回路基板５に電子部品を装着した回数に基づいて設定されていてもよい。
【実施例２】
【００３４】
図９に示されるように、実施例２の実装機１に設けられている読取装置１０１は、実施例１の読取装置１００の読取りタイミングデータ８８に代えて、読取り履歴データ８９を備えていることを特徴としている。読取り履歴データ８９は、基準マークを読み取ったタイミングを基準マーク毎に記憶可能に構成されている。この例では、読取り履歴データ８９は、基準マークを読取った時間を基準マーク毎に記憶可能に構成されている。【００３５】
次に、図１０及び図１１を参照し、読取装置１０１を有する実装機１が電子部品を回路基板５に装着するフローを説明する。図１０は、最初に装着予定の電子部品を装着するまでのフローを示す。この例では、電子部品Ｐ１（図４参照）を装着するまでのフローである。図１１は、最初の電子部品を装着した以降の電子部品を装着するフローを示す。【００３６】
図１０に示されるように、まず、ステップＳ４１において、制御装置７０は、シーケンスデータ８２を用いて、最初に装着予定の電子部品Ｐ１を抽出する。次に、ステップＳ４３において、制御装置７０は、参照マークデータ８４を用いて、抽出された電子部品Ｐ１に対応した基準マークＭａ，Ｍｂを特定する。次に、ステップＳ４５において、制御装置７０は、特定された基準マークＭａ，Ｍｂを読み取る。次に、ステップＳ４７において、制御装置７０は、基準マークＭａ，Ｍｂを読み取った時間と基準マークＭａ，Ｍｂを読み取ったという事実を読取り履歴データ８９に記憶する。次に、ステップＳ４９において、基準マークＭａ，Ｍｂの位置情報を利用して、最初に装着予定の電子部品Ｐ１が回路基板の装着位置に装着される。これ以降は、図１１のフローに基づいて電子部品の装着が実行される。【００３７】
図１１に示されるように、ステップＳ５１において、制御装置７０は、シーケンスデータ８２を用いて、次に装着予定の電子部品Ｐ２を抽出する。次に、ステップＳ５２において、制御装置７０は、参照マークデータ８４を用いて、抽出された電子部品Ｐ２に対応した基準マークＭａ，Ｍｂを特定する。次に、ステップＳ５３において、制御装置７０は、読取り履歴データ８９を用いて、特定された基準マークＭａ，Ｍｂを以前に読み取ったことがあるか否かを判定する。読取ったことがあると判定されれば、装着作業はステップＳ５４に進む。ステップＳ５４において、制御装置７０は、読取り履歴データ８９を用いて、前回、基準マークＭａ，Ｍｂを読み取った時間を取得する。次に、ステップＳ５５において、制御装置７０は、その前回に読取った時間からの経過時間が有効期間データ８６で定められている有効期間（例えば、「５分」）を越えている否かを判定する。経過時間が有効期間を越えていなければ、制御装置７０は、基準マークＭａ，Ｍｂが有効であると判定する。これにより、装着作業はステップＳ５６に進む。ステップＳ５６において、基準マークＭａ，Ｍｂの位置情報を利用して、抽出された電子部品Ｐ２が回路基板の装着位置に装着される。次に、ステップＳ５７において、制御装置７０は、全ての電子部品の装着が終了したか否かを判定する。全ての電子部品の装着が終了していると判定されれば、装着作業が終了する。全ての電子部品の装着が終了していないと判定されれば、装着作業はステップＳ５１に戻る。【００３８】
このような装着作業が繰返され、基準マークＭａ，Ｍｂを読み取った時間からの経過時間が有効期間を越えると、ステップＳ５５において、制御装置７０は、基準マークＭａ，Ｍｂが無効であると判定する。これにより、装着作業はステップＳ５８に進む。ステップＳ５８において、制御装置７０は、特定された基準マークＭａ，Ｍｂを読み取る。次に、ステップＳ５９において、制御装置７０は、基準マークＭａ，Ｍｂを読み取った時間と基準マークＭａ，Ｍｂを読み取ったという事実を読取り履歴データ８９に記憶する。これにより、基準マークＭａ，Ｍｂを読取った最新の時間が読取り履歴データ８９に記憶される。【００３９】
また、このような装着作業が繰返され、電子部品Ｐｎ２を装着する段階になると、ステップＳ５３において、制御装置７０は、基準マークＭｃ，Ｍｄを読み取ったことがないと判定する。これにより、装着作業はステップＳ５８に進む。ステップＳ５８において、制御装置７０は、特定された基準マークＭｃ，Ｍｄを読み取る。次に、ステップＳ５９において、制御装置７０は、基準マークＭｃ，Ｍｄを読み取った時間と基準マークＭｃ，Ｍｄを読み取ったという事実を読取り履歴データ８９に記憶する。次に、ステップＳ５６において、基準マークＭｃ，Ｍｄの位置情報を利用して、抽出された電子部品Ｐｎ２が回路基板の装着位置に装着される。【００４０】
このように、実装機１は、電子部品を装着する毎に、その電子部品を装着する際に参照する基準マークが有効か無効かを判定し、無効な場合のみ基準マークを読取るように構成されている。これにより、無駄な基準マークの読み取りを回避することができるので、効率的な読取り作業を実行することができる。【００４１】
なお、実施例２の実装機１では、以前に基準マークを読み取ったことがある場合、電子部品を装着する毎に、その基準マークを有効期間データ８６の有効期間と比較する態様（ステップＳ５３−ステップＳ５５）を例示した。この例に代えて、読取り履歴データ８９を定期的に検証し、前回に基準マークを読み取ってからの経過時間が有効期間データ８６の有効期間を越えている基準マークに関しては、読み取ったという事実を予め無効にしてもよい。このようなステップを図１１の装着フローと平行して実行することで、ステップＳ５４とステップＳ５５を省略することができるので、効率的な読取り作業を実行することができる。【００４２】
なお、実施例２の実装機１では、有効期間データ８６に記述されている有効期間が「５分」という固定された時間データの態様を例示した。この例に代えて、実装機１が作業を開始してからの時間に依存して増加する関数で表される時間データであってもよい。また、有効期間データ８６に記述されている有効期間が、回路基板５に電子部品を装着した回数に基づいて設定されていてもよい。【００４３】
以上、本技術の具体例を詳細に説明したが、これらは例示にすぎず、請求の範囲を限定するものではない。請求の範囲に記載の技術には、以上に例示した具体例を様々に変形、変更したものが含まれる。本明細書または図面に説明した技術要素は、単独であるいは各種の組み合わせによって技術的有用性を発揮するものであり、出願時の請求項に記載の組み合わせに限定されるものではない。また、本明細書または図面に例示した技術は複数目的を同時に達成するものであり、そのうちの一つの目的を達成すること自体で技術的有用性を持つものである。
【符号の説明】
【００４４】
７０：制御装置
８０：記憶装置
８２：シーケンスデータ
８４：参照マークデータ
８６：有効期間データ
８８：読取りタイミングデータ
【図１】
2014076804.tif 000003
【図２】
2014076804.tif 000004
【図３】
2014076804.tif 000005
【図４】
2014076804.tif 000006
【図５】
2014076804.tif 000007
【図６】
2014076804.tif 000008
【図７】
2014076804.tif 000009
【図８】
2014076804.tif 000010
【図９】
2014076804.tif 000011
【図１０】
2014076804.tif 000012
【図１１】
2014076804.tif 000013
【国際調査報告】
2014076804.tif 000014
2014076804.tif 000015